(57)【要約】      （修正有）【課題】足裏の刺激効果を高めることができる靴下を提供する。【解決手段】人間の足に用いる靴下が、足に直接接触する内側の第１面と、足に接触しない外側の第２面とを有する。内側の第１面が、足裏に直接接触して刺激を与えるための多数の突起１２，１４を有する。多数の突起が直接足裏に接触するため、足裏のツボを効果的に刺激し、健康靴下として極めて有効である。【選択図】図１
0003151323.tif 000002
【実用新案登録請求の範囲】
【請求項１】
人間の足に用いる靴下であって、足に直接接触する内側の第１面と、足に接触しない外側の第２面とを有し、内側の第１面が、足裏に直接接触して刺激を与えるための多数の突起を有することを特徴とする靴下。
【請求項２】
多数の突起が合成樹脂製であることを特徴とする請求項１に記載の靴下。
【請求項３】
多数の突起が約０．５ｍｍの高さを有する半円球状の突起であることを特徴とする請求項１又は２に記載の靴下。
【請求項４】
内側の第１面の、足の指に接触するところに、約０．３ｍｍの高さを有する半円球状の突起が設けられていることを特徴とする請求項１〜３のいずれか１項に記載の靴下。
【請求項５】
５本の指をもつ形に形成されていることを特徴とする請求項４に記載の靴下。
【考案の詳細な説明】
【技術分野】
【０００１】
本考案は、人間の足に用いる靴下に関する。
【背景技術】
【０００２】
人間の足に用いる靴下は、足に直接接触する内側の第１面と、足に接触しない外側の第２面とを有する。人間の足に用いる靴下において、スベリ止めや、足裏の刺激のために、足に接触しない外側の第２面に多数の突起を設けることは公知である。特許文献１を参照。
【先行技術文献】
【特許文献】
【０００３】
【特許文献１】意匠登録第１３４４０８８号公報
【考案の概要】
【考案が解決しようとする課題】
【０００４】
従来は、多数の突起が、足に直接接触しない外側の第２面に設けられていたため、靴下を使用する際、突起と足裏との間に靴下の材料が介在する。そのため、突起が足裏に直接接触せず、足裏の刺激効果が低下する欠点があった。
【０００５】
本考案の目的は、足裏の刺激効果を高めることができる靴下を提供することである。
【課題を解決するための手段】
【０００６】
本考案の解決手段を例示すると、次のとおりである。
【０００７】
（１）人間の足に用いる靴下であって、足に直接接触する内側の第１面と、足に接触しない外側の第２面とを有し、内側の第１面が、足裏に直接接触して刺激を与えるための多数の突起を有することを特徴とする靴下。
【０００８】
（２）多数の突起が合成樹脂製であることを特徴とする前述の靴下。
【０００９】
（３）多数の突起が約０．５ｍｍの高さを有する半円球状の突起であることを特徴とする前述の靴下。
【００１０】
（４）内側の第１面の、足の指に接触するところに、約０．３ｍｍの高さを有する半円球状の突起が設けられていることを特徴とする前述の靴下。
【００１１】
（５）５本の指をもつように形成されていることを特徴とする前述の靴下。
【考案の効果】
【００１２】
本考案によれば、多数の突起が直接足裏に接触するため、足裏のツボを効果的に刺激し、健康靴下として極めて有効である。
【００１３】
とくに、直接足裏に接触する内側の第１面の、足の指に接触するところに、約０．３ｍｍの高さを有する半円球状の突起が設けられていると、足裏の爪先まで指圧効果があり、足全体の血行が良くなる。そのため、冬には、足が霜焼けになりにくい。
【００１４】
さらに、好ましい実施形態においては、素材の柔らかな糸製の５本指の靴下にする。５本指の靴下において、各指に樹脂製の突起を設けると、足指のツボを効果的に刺激し、爪先の指圧効果が大きくなる。しかも、５本指の寸法及び形状をすべて同じにすると、左右どちらの足でもはくことが出来る。また、５本指の靴下をスポーツ用にはくと、指先まで力が入り、ダッシュにスピードが出る。
【００１５】
また、本考案によれば、足裏の汗が半減し、サラッとした気分でいられる。靴下も長持ちする。
【図面の簡単な説明】
【００１６】
【図１】本考案の第１実施例による靴下を裏返した状態で示す。
【図２】本考案の第２実施例による靴下を裏返した状態で示す。
【図３】本考案の第３実施例による靴下を裏返した状態で示す。
【図４】本考案の第４実施例による靴下を裏返した状態で示す。
【図５】本考案の第５実施例による靴下を裏返した状態で示す。
【考案を実施するための形態】
【００１７】
本考案の好ましい実施形態においては、人間の足に用いる靴下が、足に直接接触する内側の第１面と、足に接触しない外側の第２面とを有し、内側の第１面が、足裏に直接接触して刺激を与えるための多数の突起を有する。
【００１８】
それらの多数の突起は、合成樹脂製である。
【００１９】
好ましくは、多数の突起は、約０．５ｍｍの高さを有する半円球状の突起である。
【００２０】
更に好ましくは、足に直接接触する内側の第１面の、足の指に接触するところに、約０．３ｍｍの高さを有する半円球状の突起が設けられている。
【００２１】
本考案の好ましい別の実施形態においては、合成樹脂製の突起が直線に並んでいる。とくに、０．５ミリ前後の半円球状の樹脂製の突起を千鳥足状又は格子模様に並べる。足指が当る所には、０．３ミリ前後の半円球状の樹脂製の小さな突起を千鳥足状又は格子模様に並べる。
【００２２】
スベリ止めの効果を高めるためには、足に直接接触する内側の第１面のみでなく、足に接触しない外側の第２面にも、多数の突起を同じ位置に、又は互いに異なる位置に設ける。そうすれば、スポーツ用靴下、作業用靴下として最適である。さらに、５本指の形にすると、靴の中底でのスベリ止めだけでなく、指先に力が入る。
【００２３】
本考案による靴下は、種々の方法で製造することができる。例えば、靴下を裏返した状態で、所定の位置に突起を設け、そのあと、靴下を元の状態に戻せば、足に直接接触する内側の第１面が、足裏に直接接触して刺激を与えるための多数の突起を有する形にする。
【実施例】
【００２４】
以下、図面を参照して、本考案の好適な実施例を説明する。図を見やすくするために、図１〜５に示すいずれの実施例についても、靴下を裏返した状態で説明する。
【００２５】
図１は、本考案の第１実施例を示す。
【００２６】
人間の足に用いる靴下が、足に直接接触する内側の第１面１０と、足に接触しない外側の第２面（図示せず）とを有する。内側の第１面１０が、足裏に直接接触して刺激を与えるための２種類の多数の突起１２、１４を有する。これらの多数の突起１２、１４は合成樹脂製である。
【００２７】
２種類の多数の突起１２、１４のうち、一方の大きい方の突起１２は、約０．５ｍｍの高さを有する半円球状の突起である。他方の小さい方の突起１４は、内側の第１面１０の、足の指に接触するところに設ける、約０．３ｍｍの高さを有する半円球状の突起である。
【００２８】
図１の第１実施例においては、人間の５本の指の大きさに合わせて大きさの異なる５本の指１６、１８、２０、２２、２４をもつ形に形成されている。
【００２９】
図２は、本考案の第２実施例を示す。
【００３０】
図２の第２実施例は、指の部分を除けば、図１の第１実施例と同じか、それによく似ているが、本考案の第２実施例は、５本の指２６、２８、３０、３２、３４がほぼ同じ長さを有し、両端側の指２６、３４が少し太い形になっているのに対し、それらの指２６、３４間に存在する３つの指２８、３０、３２が少し細くなっている。
【００３１】
図２の第２実施例による靴下は、左右どちらの足でもはくことが可能である。
【００３２】
図３は、本考案の第３実施例を示す。
【００３３】
図３の第３実施例においては、人間の親指用の指３６と、その隣の１本用の指３８と、小指を含む３本用の指４０が形成されている。
【００３４】
図４は、本考案の第４実施例を示す。
【００３５】
図４の第４実施例においては、親指用の指４２と、それ以外の４本用の指４４が形成されている。
【００３６】
図５は、本考案の第５実施例を示す。
【００３７】
図５の第５実施例においては、靴下の先端部が、５本の指をまとめて収容する形になっている。
【００３８】
靴下の中間部４６がしぼられた形になっている。
【００３９】
図１〜５に示す第１〜第５実施例は、いずれも、足に直接接触する内側の第１面１０と、足に接触しない外側の第２面とを有し、内側の第１面１０が、足裏に直接接触して刺激を与えるための多数の合成樹脂製の突起１２を有する。そして、第１実施例〜第５実施例のいずれにおいても、足の指に対応するところは、それ以外のところの突起１２に比較して、小さい突起１４が設けられている。
【図１】
0003151323.tif 000003
【図２】
0003151323.tif 000004
【図３】
0003151323.tif 000005
【図４】
0003151323.tif 000006
【図５】
0003151323.tif 000007